(57)【特許請求の範囲】
【請求項１】
物品に形成されたねじ孔に脚部が螺合される雄ねじ部材によって物品に固定され、上記物品に盗難防止装置を連結するための盗難防止補助具において、
内部に一端が開口し、この開口部から他端側へ延びる横孔が形成された補助具本体と、
上記横孔にその開口部から横孔に臨む一側壁部に沿って挿入された支持板部及びこの支持板部の後端部に設けられ、上記支持板部が所定の閉位置まで挿入されたときに上記開口部を閉じる蓋部を有する位置決め部材とを備え、
上記補助具本体の一側壁部及び上記位置決め部材の支持板部には、上記支持板部が上記所定の閉位置に挿入されたときに互いに対向し、かつ上記雄ねじ部材の脚部が挿通される第１、第２ねじ挿通孔がそれぞれ形成され、
上記補助具本体の上記一側壁部と上記横孔を間にして対向する他側壁部には、上記第１ねじ挿通孔と対向するねじ回し挿入孔が形成され、
上記補助具本体と上記位置決め部材との少なくとも一方には、上記盗難防止装置を連結するための連結部が設けられていることを特徴とする盗難防止補助具。
【請求項２】
上記ねじ回し挿入孔が、上記連結部として兼用することができるよう、長孔として形成されていることを特徴とする請求項１に記載の盗難防止補助具。
【請求項３】
上記横孔に臨む二つの壁部には、上記連結部として用いられる貫通孔がそれぞれ形成されており、上記盗難防止装置の一部をなす盗難防止ワイヤが一方の貫通孔から上記横孔を通って他方の貫通孔に挿通されたとき、上記横孔内の盗難防止ワイヤが上記ねじ挿通孔と上記ねじ回し挿入孔との間に位置するように、上記二つの貫通孔が配置されていることを特徴とする請求項１に記載の盗難防止補助具。
【請求項４】
上記補助具本体には、上記支持板部が上記閉位置まで挿入されたときに上記位置決め部材に突き当たる当接面が形成されていることを特徴とする請求項１〜３のいずれかに記載の盗難防止補助具。
【請求項５】
上記補助具本体には、上記物品に設けられた係止部に係合することにより、上記補助具本体の上記雄ねじ部材を中心とした回転を阻止する係合部が形成されていることを特徴とする請求項１〜４のいずれかに記載の盗難防止補助具。
【発明の詳細な説明】
【０００１】
【発明の属する技術分野】
この発明は、例えば陳列棚に陳列されたパーソナルコンピュータ（以下、パソコンと略称する。）等の物品に盗難防止装置を連結する際に用いられる盗難防止補助具に関する。
【０００２】
【従来の技術】
一般に、パソコン、特にノートブック型のパソコンは、容易に持ち運びが可能であるため、陳列棚等に陳列する際には盗難防止装置を用いてパソコンを陳列棚の脚部等に連結し、それによって盗難を防止している。従来の盗難防止装置は、例えば特許第２６５０１４７号又は特許第３１０８９１５号に記載されているように、ストレートな２又は１本の拘束ピン、及びＴ字状又はＬ字状をなすロックピンを有するロック錠と、このロック錠に一端が連結されたワイヤとを備えている。そして、この盗難防止装置を用いてパソコンを陳列棚に連結する場合には、ロック錠の拘束ピン及びロックピンをパソコンに設けられた長孔に挿入する。その後、ロックピンをほぼ９０°回動させる。すると、ロックピンの先端部が長孔から脱出不能になり、ロック錠がパソコンに取外し不能に連結される。一方、ロック錠に連結されたワイヤの他端部は、陳列棚を構成する支柱等に連結する。これにより、パソコンが陳列棚に連結されてその盗難が防止される。
【０００３】
上記従来の盗難防止装置においては、パソコンに位置決めピン及びロックピンが挿入される長孔が形成されていないと使用することができない。通常、ノート型パソコンには、そのような長孔が予め形成されているが、ディスクトップ型パソコンには設けられていない。このため、ディスクトップ型パソコンには、従来の盗難防止装置を使用することができなかった。
【０００４】
そこで、特開平１０−２２５３４６号公報には、パソコンに盗難防止補助具を取り付け、この補助具を介して盗難防止装置をパソコンに連結することが開示されている。盗難防止補助具は、パソコンに形成されたねじ孔を利用してパソコンに取り付けるようにしたものであり、その本体には、ねじ孔と軸線を一致させた状態で本体を貫通するボルト挿通孔と、このボルト挿通孔と交差するようにして本体を貫通する貫通孔とが形成されている。ボルト挿通孔は、その一端側からボルトが挿通されるようになっており、通し孔より他端側にボルト座が形成されている。そして、ボルトの頭部がボルト座に突き当たるまでボルトをボルト挿通孔に挿入した後、ボルト挿通孔の一端部から挿入したドライバ等のねじ回し工具によってボルトをねじ孔に螺合させて締め付けることにより、補助具本体がパソコンに固定される。その一方、通し孔には、盗難防止装置の一部たる盗難防止ワイヤが挿通される。このワイヤの一端部には南京錠に連結され、他端部が陳列棚の支柱等に連結される。これにより、パソコンが陳列棚に盗難防止装置及び盗難防止補助具を介して連結され、盗難が防止される。しかも、ボルト挿通孔の一端部とボルトとの間に盗難防止ワイヤが介在するので、ボルト挿通孔からねじ回し工具を挿通したとしても、ねじ回し工具は盗難防止ワイヤが邪魔になってボルトにまで達することができない。したがって、ボルトを緩めることができず、盗難防止補助具をパソコンから取り外すことができない。
【０００５】
【発明が解決しようとする課題】
上記従来の盗難防止補助具においては、ボルトを挿通するためのボルト挿通孔の中間部を貫通孔が横断しているため、ボルトをボルト挿通孔の一端開口部からボルト座まで挿入することが困難であるという問題があった。
【０００６】
【課題を解決するための手段】
この発明は、上記の問題を解決するためになされたものであり、物品に形成されたねじ孔に脚部が螺合される雄ねじ部材によって物品に固定され、上記物品に盗難防止装置を連結するための盗難防止補助具において、内部に一端が開口し、この開口部から他端側へ延びる横孔が形成された補助具本体と、上記横孔にその開口部から横孔に臨む一側壁部に沿って挿入された支持板部及びこの支持板部の後端部に設けられ、かつ上記支持板部が所定の閉位置まで挿入されたときに上記開口部を閉じる蓋部を有する位置決め部材とを備え、上記補助具本体の一側壁部及び上記位置決め部材の支持板部には、上記支持板部が上記所定の閉位置に挿入されたときに互いに対向し、上記雄ねじ部材の脚部が挿通される第１、第２ねじ挿通孔がそれぞれ形成され、上記補助具本体の上記一側壁部と上記横孔を間にして対向する他側壁部には、上記第１ねじ挿通孔と対向するねじ回し挿入孔が形成され、上記補助具本体と上記位置決め部材との少なくとも一方には、上記盗難防止装置を連結するための連結部が設けられていることを特徴としている。
この場合、上記ねじ回し挿入孔については、上記連結部として兼用することができるよう、長孔として形成されていてもよい。
また、上記横孔に臨む二つの壁部には、上記連結部として用いられる貫通孔がそれぞれ形成され、上記盗難防止装置の一部をなす盗難防止ワイヤが一方の貫通孔から上記横孔を通って他方の貫通孔に挿通されたとき、上記横孔内の盗難防止ワイヤが上記ねじ挿通孔と上記ねじ回し挿入孔との間に位置するように、上記二つの貫通孔が配置されていてもよい。
上記補助具本体には、上記支持板部が上記閉位置まで挿入されたときに上記位置決め部材に突き当たる当接面が形成されていることが望ましい。
上記補助具本体には、上記物品に設けられた係止部に係合することにより、上記補助具本体の上記雄ねじ部材を中心とした回転を阻止する係合部が形成されていることが望ましい。
【０００７】
【発明の実施の形態】
以下、この発明の実施の形態について図１〜図７を参照して説明する。
図１〜図５は、この発明に係る盗難防止補助具の一実施の形態を示すものである。図５に示すように、この実施の形態の盗難防止補助具１は、陳列棚Ｓに陳列されたディスクトップ型パソコン（物品）Ｐを盗難防止装置Ｄによって陳列棚Ｓの脚部Ｓ１に連結して盗難を防止する際に用いられるものである。すなわち、パソコンＰの背面には、ＲＳ２３２ＣタイプのコネクタＰ１が設けられている。コネクタＰ１は、パソコンＰの背面から突出する接続部（係止部）Ｐ２と、この接続部Ｐ２の長手方向の両端部からその長手方向へ若干離れて配置された一対の雌ねじ部材Ｐ３（一方の雌ねじ部材Ｐ３のみ図示）とを有している。雌ねじ部材Ｐ３には、軸線を背面と直交する方向に向けたねじ孔Ｐ４（図４参照）が形成されている。そして、接続部Ｐ２と一方の雌ねじ部材Ｐ３とを利用して、この発明に係る盗難防止補助具１が取り付けられている。盗難防止補助具１には盗難防止装置Ｄが接続され、この盗難防止装置ＤによってパソコンＰが陳列棚Ｓの脚部Ｓ１に連結されている。
【０００８】
盗難防止補助具１は、図１〜図４に示すように、補助具本体２と位置決め部材３とを備えている。
補助具本体２は、略直方体状をなすものであり、その内部には断面四角形の横孔２１が形成されている。この横孔２１は、補助具本体２の一端部に開口しており、その開口部から補助具本体２の他端部に向かって延びている。横孔２１に臨む下壁部（一側壁部）２２の奥側には、下壁部２２を貫通するねじ挿通孔（第１ねじ挿通孔）２３がその軸線を横孔１の延びる方向と直交させた状態で形成されている。このねじ挿通孔２３の内径は、上記ねじ孔Ｐ４に螺合されるボルト（雄ねじ部材）Ｂの脚部Ｂ１は挿通可能であるが、その頭部Ｂ２は挿通不能であるような大きさに設定されている。横孔２１に臨む上壁部（他側壁部）２４には、これを貫通する長孔（ねじ回し挿入孔）２５が形成されている。この長孔２５は、その長手方向の一部がねじ挿通孔２３と対向するように配置されており、長孔２５から横孔２１内に挿入されたドライバ等のねじ回し工具により、ねじ挿通孔２３に挿通されたボルトＢを回転させることができるようになっている。ただし、長孔２５の幅は、ボルトＢの頭部Ｂ２の外径より狭くなっている。したがって、ボルトＢを長孔２５から横孔２１内に挿入することはできない。長孔２５は、その長手方向を横孔２１の延びる方向と一致させて形成されているが、その長手方向を横孔２１が延びる方向と直交する方向に向けて形成してもよい。また、図３に示すように、長孔２５は、横孔２１の奥側に位置する一端部がねじ挿通孔２３と対向するように配置されているが、逆側の端部又は中間部がねじ挿通孔２３と対向するように配置してもよい。
【０００９】
補助具本体２の下面には、係合凹部（係合部）２６が形成されている。この係合凹部２６は、上記横孔２１の開口部と同一側が開放されている。係合凹部２６の深さは、接続部Ｐ２及び雌ねじ部材Ｐ３の高さとほぼ同一に設定されている。係合凹部２６の幅は、接続部Ｐ２の幅とほぼ同一になっている。したがって、図１及び図２に示すように、係合凹部２６には、接続部Ｐ２の一端部とこれに隣接する一方の雌ねじ部材Ｐ３とが挿入可能であり、接続部Ｐ２及び一方の雌ねじ部材Ｐ３は、雌ねじ部材Ｐ３が係合凹部２６の奥側の側面２６ａに突き当たった状態で係合凹部２６に挿入されている。この挿入状態では、ねじ挿通孔２３の軸線と雌ねじ部材Ｐ３のねじ孔Ｐ４の軸線とが一致している。したがって、側面２６ａに雌ねじ部材Ｐ３が突き当てた状態では、横孔２１内からねじ挿通孔２３にボルトＢの脚部Ｂ１を挿入して、雌ねじ部材Ｐ３のねじ孔Ｐ４に螺合させることができる。しかも、接続部Ｐ２及び一方の雌ねじ部材Ｐ３が係合凹部２６に挿入された状態では、接続部Ｐ２の長手方向に延びる両側面Ｐ５，Ｐ５が係合凹部２６の両側面（図４における左右の両側面）２６ｂ，２６ｂに突き当たる。これにより、補助具本体２のねじ孔Ｐ４の軸線を中心とした回転が阻止されている。
【００１０】
位置決め部材３は、平板状をなす支持板部３１と、この支持板部３１の後端部からそれと直交する方向に起立する蓋部３２とを有している。
支持板部３１は、図４に示すように、横孔２１の幅（図４における左右方向の幅）とほぼ同一の幅を有しており、横孔２１にその開口部から下壁部２２に沿って挿入可能である。支持板部３１は、その先端面３１ａが横孔２１の奥底面（当接面）２１ａに突き当たるまで横孔２１に挿入可能であり、先端面３１ａが奥底面２１ａに突き当たったときの位置決め部材３の位置が閉位置である。支持板部３１には、これを上下に貫通するねじ挿通孔（第２ねじ挿通孔）３３が形成されている。このねじ挿通孔３３は、ねじ挿通孔２３と同一の内径を有している。したがって、ねじ挿通孔３３には、ボルトＢの脚部Ｂ１が挿通可能である。しかも、ねじ挿通孔３３にボルトＢの脚部Ｂ１の下端部を挿入したとき、ねじ挿通孔３３がボルトＢを傾いたりすることなく安定して保持することができるように、ねじ挿通孔３３の長さ、換言すれば支持板部３１の厚さが設定されている。ねじ挿通孔３３は、位置決め部材３が閉位置に位置したとき、ねじ挿通孔２３と対向するように、特にこの実施の形態ではねじ挿通孔２３と軸線を一致させるように配置されている。
【００１１】
一方、蓋部３２は、横孔２１の開口部とほぼ同一の形状及び寸法を有しており、位置決め部材３が閉位置に位置すると、横孔２１の開口部に嵌合するように配置されている。したがって、位置決め部材３を閉位置に位置させると、横孔２１の開口部が蓋部３２によって閉じられる。
【００１２】
上記構成の盗難防止補助具１をパソコンＰに取り付ける場合の一例を説明すると、図１に示すように、ＲＳ２３２ＣコネクタＰ１の接続部Ｐ２及び雌ねじ部材Ｐ３を係合凹部２６に挿入し、雌ねじ部材Ｐ３を係合凹部２６の奥側の側面２６ａに突き当てる。次に、位置決め部材３の支持板部３１を横孔２１にその開口部から挿入する。このとき、ボルト挿通孔３３には、ボルトＢの脚部Ｂ１の下端部を予め挿入しておく。したがって、支持板部３１を横孔２１に挿入すると、ボルトＢがボルト挿通孔３３に保持された状態で下壁部２２の横孔２１に臨む面を摺動し、支持板部３１と一緒に横孔２１の奥側へ移動する。支持板部３１の先端面３１ａが横孔２１の奥底面２１ａに突き当たって位置決め部材３が閉位置に達すると、蓋部３２が横孔２１の開口部に嵌合してこれを閉じる。しかも、このときには、ボルト挿通孔３３の軸線がボルト挿通孔２３の軸線と一致する。この結果、下壁部２２上を摺動していたボルトＢの脚部Ｂ１がボルト挿通孔２３に入り込む。その後、長孔２５からドライバ等のねじ回し工具を挿入してボルトＢを回転させ、ねじ孔Ｐ４に螺合させて締め付ける。これにより、盗難防止補助具１がパソコンＰの背面に固定される。しかも、接続部Ｐ２が係合凹部２６に嵌合しているので、補助具１はボルトＢを中心とした回転が阻止されている。よって、補助具Ｂは、ボルトＢを緩めない限りパソコンＰから取り外すことができない。
【００１３】
このように、この発明に係る盗難防止補助具１では、支持板部３１を横孔２１に挿入する前にボルトＢの脚部Ｂ１を支持板部３１のボルト挿通孔３３に挿入することができ、しかもねじ挿通孔３３に脚部Ｂ１を挿入した状態で支持板部３１を所定の閉位置まで挿入するだけで、脚部Ｂ１をねじ挿通孔２３に挿入することができる。したがって、ボルトＢの脚部Ｂ１をねじ挿通孔２３，３３に容易に挿入することができる。その結果、ボルトＢの脚部Ｂ１をねじ孔Ｐ４にも容易に螺合させることができる。
【００１４】
次に、陳列棚Ｓに陳列されたパソコンＰの盗難を防止するために、盗難防止装置Ｄを用いてパソコンＰを陳列棚Ｓの脚部Ｓ１に連結する場合について説明する。盗難防止装置Ｄは、例えば前述した特許第２６５０１４７号又は特許第３１０８９１５号に記載された公知のものと同様である。そこで、これを簡単に述べると、盗難防止装置Ｄは、盗難防止補助具１を介してパソコンＰに連結されるロック錠Ｄ１と、一端部がロック錠Ｄ１に連結され、他端部に輪部Ｄ３が形成されたワイヤ部Ｄ２とを有している。ワイヤ部Ｄ２は、輪部Ｄ３が形成された端部を陳列棚Ｓの脚部Ｓ１に巻回した後、輪部Ｄ３にロック錠Ｄ１及びそれに続くワイヤ部Ｄ２が挿通されることにより、脚部Ｓ１に連結されている。一方、ロック錠Ｄ１は、その先端面から突出するストレートな位置決めピンＤ４と、Ｌ字状をなすロックピンＤ５とを有している。位置決めピンＤ４及びロックピンＤ５は、図２に示すように、ロックピンＤ５の先端部を位置決めピンＤ４と対向した状態で長孔２５に挿入される。その後、ロック錠Ｄ１の鍵ＫによってロックピンＤ５を９０°回動させると、図４に示すように、ロックピンＤ５の先端部が補助具本体２の上壁部２４の横孔１に臨む下面に係合する。この結果、ロック錠Ｄ１が補助具１を介してパソコンＰに連結され、パソコンＰが盗難防止補助具１及び盗難防止装置Ｄを介して陳列棚Ｓの脚部Ｓ１に連結される。よって、パソコンＰの盗難が防止される。この状態においては、長孔２５が錠前Ｄ１によって、特にその位置決めピンＤ４及びロックピンＤ５によって塞がれているので、長孔２５にドライバ等のねじ回し工具を挿入することができない。したがって、補助具１がパソコンＰから取り外されることがない。
【００１５】
図６及び図７は、この発明の他の実施の形態を示すものである。これらの図に示す実施の形態の盗難防止補助具１′は、上記盗難防止装置Ｄに代えて、例えば前述した特開平１０−２２５３４６号公報に記載された盗難防止装置が連結されるようになっている。そのために、この実施の形態では、ロック錠Ｄ１を連結するための長孔２５を形成する必要がなく、長孔２５に代えて円形のねじ回し挿入孔２５′が形成されている。このねじ回し挿入孔２５′は、ボルトＢを回転させるためのドライバ等のねじ回し工具を挿入することができる範囲においてできる限り小さい内径を有している。したがって、ねじ回し挿入孔２５′にはボルトＢの頭部Ｂ２を挿通することができない。また、補助具本体２の下壁部２２と上壁部２４の間に設けられた二つの側壁（横孔２１に臨む二つの壁部）２７，２８には、貫通孔２７ａ，２８ａがそれぞれ形成されている。そして、貫通孔２７ａ，２８ａ及び横孔２１に盗難防止装置の盗難防止ワイヤＷが挿通されている。このワイヤＷの一端部は、パソコンＰの陳列棚Ｓの脚部Ｓ１に連結されており、他端部には南京錠が連結されている。これにより、パソコンＰの盗難が防止されている。
【００１６】
上記貫通孔２７ａ，２８ａは、横孔２１が延びる方向においてはねじ挿通孔２３，３３と同一位置に配置され、ねじ挿通孔２３，３３の軸線方向においてはボルトＢの頭部Ｂ２より上壁部２４側に位置するように配置されている。したがって、貫通孔２７ａ，２８ａに盗難防止ワイヤＷを挿通した状態では、ねじ回し挿入孔２５′とボルトＢの頭部Ｂ２との間に盗難防止ワイヤＷが介在することになる。このため、ねじ回し挿入孔２５′からドライバ等のねじ回し工具を挿入しても、盗難防止ワイヤＷが邪魔になってボルトＢを緩めることができない。よって、貫通孔２７ａ，２８ａに盗難防止装置の盗難防止ワイヤＷを挿通した後は、盗難防止補助具１′をパソコンＰから取り外すことができない。
その他の構成は上記補助具１と同様であるので、同様な部分には同一符号を付してその説明を省略する。
【００１７】
なお、この発明は、上記の実施の形態に限定されるものでなく、適宜変更可能である。
例えば、上記の実施の形態においては、ＲＳ２３２ＣタイプのコネクタＰのねじ孔Ｐ４を利用しているが、他のコネクタのねじ孔、又はコネクタと関係のないその他のねじ孔を利用して盗難防止補助具１、１′をパソコンＰ、その他の物品に固定するようにしてもよい。
また、後に述べた盗難防止補助具１′においては、補助具本体２の二つの側壁２７，２８に盗難防止ワイヤＷを挿通するための貫通孔２７ａ，２８ａを形成しているが、奥底面２１ａを有する側壁（横孔２１に臨む壁部）２９と蓋部（横孔２１に臨む壁部）３２とに盗難防止ワイヤＷを挿通するための貫通孔をそれぞれ形成してもよい。その場合、各貫通孔は、各貫通孔に挿通された盗難防止ワイヤＷをボルトＢとねじ回し挿入孔２５′との間に介在させるために、図４の左右方向についてはねじ挿通孔２３，３３と同一位置に配置し、ねじ挿通孔２３，３３の軸線方向については貫通孔２７ａ，２８ａとほぼ同位置に配置するのが望ましい。
【００１８】
【発明の効果】
以上説明したように、この発明によれば、盗難防止補助具を固定するためのボルトの脚部をボルト挿通孔に簡単に挿入することができ、ひいてはボルトをねじ孔に容易に螺合させることができるという効果が得られる。
【図面の簡単な説明】
【図１】この発明に係る盗難防止補助具の一実施の形態を、位置決め部材が補助具本体の横孔に若干挿入された状態で示す断面図である。
【図２】同実施の形態を、位置決め部材が補助具本体の横孔に閉位置まで挿入された状態で示す断面図である。
【図３】図２のＹ矢視図である。
【図４】図２のＸ−Ｘ線に沿う断面図である。
【図５】図１〜図４に示す盗難防止補助具が取り付けられたパソコンの背部、このパソコンが陳列される陳列棚の一部及びパソコンを陳列棚の脚部に連結するための盗難防止装置を示す斜視図である。
【図６】この発明に係る盗難防止補助具の他の実施の形態を示す図３と同様の図である。
【図７】図６のＸ−Ｘ線に沿う断面図である。
【符号の説明】
Ｂ  ボルト（雄ねじ部材）
Ｄ  盗難防止装置
Ｗ  盗難防止ワイヤ
Ｐ  パソコン（物品）
Ｐ２  接続部（係止部）
Ｐ３  ねじ部材
Ｐ４  ねじ孔
１  盗難防止補助具
１′  盗難防止補助具
２  補助具本体
３  位置決め部材
２１  横孔
２１ａ  奥底面（当接面）
２２  下壁部（一側壁部）
２３  ねじ挿通孔（第１ねじ挿通孔）
２４  上壁部（他側壁部）
２５  長孔（ねじ回し挿入孔）
２５′  ねじ回し挿入孔
２６  係合凹部（係合部）
２７  側壁（横孔に臨む壁部）
２８  側壁（横孔に臨む壁部）
２９  側壁（横孔に臨む壁部）
３１  支持板部
３２  蓋部（横孔に臨む壁部）
３３  ねじ挿通孔（第２ねじ挿通孔）
【図１】
0004040350.tif 000002
【図２】
0004040350.tif 000003
【図３】
0004040350.tif 000004
【図４】
0004040350.tif 000005
【図５】
0004040350.tif 000006
【図６】
0004040350.tif 000007
【図７】
0004040350.tif 000008